(57)【特許請求の範囲】
【請求項１】
遊技に関連する信号の遣り取りを行う各種電気部品と、該各種電気部品の駆動制御を行う電気的制御装置と、を備えた遊技機において、
前記電気的制御装置と前記各種電気部品との信号線を中継接続する中継手段を備え、
前記中継手段は、
前記電気的制御装置と前記各種電気部品との信号線を中継接続するための配線接続用端子を片面に実装した中継基盤によって構成し、
前記中継基盤は、クリア部材である基盤カバー部材で蓋覆されるとともに、当該中継基盤を取り付ける基盤ホルダーには、当該中継基盤の裏面側への不正基盤等の取り付けを妨げる不正基盤取付防止部を設け、
前記基盤ホルダーは、透明材により有底箱形状に形成され、その内底面に前記不正基盤取付防止部を柱状に複数設けたことを特徴とする遊技機。
【請求項２】
遊技の制御を行う主遊技制御装置と、該主遊技制御装置と通信可能な従遊技制御装置との信号線の中継接続を行う中継手段を備え、
前記中継手段は、
前記主遊技制御装置と従遊技制御装置との信号線を中継接続するための配線接続用端子を片面に実装した中継基盤によって構成し、
前記中継基盤は、クリア部材である基盤カバー部材で蓋覆されるとともに、当該中継基盤を取り付ける基盤ホルダーには、当該中継基盤の裏面側への不正基盤等の取り付けを妨げる不正基盤取付防止部を設け、
前記基盤ホルダーは、透明材により有底箱形状に形成され、その内底面に前記不正基盤取付防止部を柱状に複数設けたことを特徴とする遊技機。
【発明の詳細な説明】
【０００１】
【発明の属する技術分野】
この発明は、遊技領域を形成する遊技盤に配設される電気的遊技装置の各種電気部品と、該各種電気部品の駆動制御を行う電気的制御装置と、を備えた遊技機に関する。
【０００２】
【従来の技術】
従来の遊技機、例えば、パチンコ遊技機は、近年、新しい技術が導入され、電子化が進むことに伴って、構造は更に複雑になり、特に、遊技盤背面に設けられた遊技制御手段関連の、各種電気部品相互を接続する中継基盤に、複数の配線接続用端子（コネクタ）や、リレースイッチ、或いは遊技機と外部の管理装置などを接続するための外部端子などが装着され、配線の増加などに伴って、より複雑化する傾向にあった。また、それら端子などが、中継基盤の両面に実装されることもあった。
【０００３】
【発明が解決しようとする課題】
従来のように、中継基盤に複数の機能を集中させると、遊技機裏面から見て、その基盤の有する機能がわかりにくく、万一、改造した基盤を装着するなどの不正が行われたとしても、その改造が行われたことがわかりにくく、その発見までに時間がかかる。
また、中継基盤に余分なスペースがなくなり、断線などの故障があった場合に、それぞれの機能の入力と出力を調べて故障個所を見つけることが困難であり、どの部分が故障しているかを発見するまでに時間がかかる。同様に、入出力を調べることが難しくなって、検査機関での検査が行い難い。
また、中継基盤に複数の機能が集中していると、故障個所のみの交換が行いにくく、結局、他のまだ使える部品も含む基盤ごとそっくり交換しなければならず、そのために、まだ使える共通電気部品の再利用ができなくなって、大変不経済であった。
【０００４】
また、中継基盤は、各種電気部品と電気的制御装置との配線接続を中継し、遊技に関する制御信号の送受信を行うことから、不正に電子部品や基盤等が取り付けられて、中継する制御信号が変換されたり、新たに制御信号が混入されたりすることがあった。このような制御信号の操作により、遊技特性が本来とは異なるものに変えられていた。
また、中継基盤の両面に電子部品や配線接続用端子等を実装した場合、中継基盤の裏面側に正規の部品とともに、上記のような不正な基盤や電子部品が取り付けられることがあった。このような改造は、そのままでは視認が困難であるため、発見に多くの時間を要した。
また、中継基盤の裏面側に配線接続用端子を実装した場合、コネクタの抜き差しが行いにくく、利便性を著しく欠いていた。
【０００５】
本発明は、上記のような問題点を解決するためになされたもので、中継基盤の有する機能をわかり易くするとともに、例えば、故障時など、必要に応じて基盤の部分交換を行うことが可能な遊技機を提供することを目的とする。
さらに、本発明は、中継基盤に対する不正な改造を防止することが可能な遊技機を提供することを目的としている。
【０００６】
【課題を解決するための手段】
上記課題を解決するため、請求項１記載の発明は、遊技に関連する信号の遣り取りを行う各種電気部品と、該各種電気部品の駆動制御を行う電気的制御装置と、を備えた遊技機において、前記電気的制御装置と前記各種電気部品との信号線を中継接続する中継手段を備え、前記中継手段は、前記電気的制御装置と前記各種電気部品との信号線を中継接続するための配線接続用端子を片面に実装した中継基盤によって構成し、前記中継基盤は、クリア部材である基盤カバー部材で蓋覆されるとともに、当該中継基盤を取り付ける基盤ホルダーには、当該中継基盤の裏面側への不正基盤等の取り付けを妨げる不正基盤取付防止部を設け、前記基盤ホルダーは、透明材により有底箱形状に形成され、その内底面に前記不正基盤取付防止部を柱状に複数設けた構成とした。
【０００７】
この請求項１記載の発明によれば、配線接続用端子を中継基盤の片面に実装したことにより、電気的制御装置及び各種電気的部品より延出する信号線を配線接続用端子に接続するのが容易となる。また、配線接続用端子を中継基盤の片面に実装したことにより、全ての配線接続用端子を視認することが可能となり、基盤の配線構成がわかり易くなる。また、配線接続用端子を中継基盤の片面に集中させたことにより、非実装面と対向する側に部品を実装するためのスペースを形成する必要がなくなる。つまり、中継基盤上に視認が困難な部分をなくすことができ、それにより不正な改造等の発見が容易となる。また、中継基盤がクリア部材である基盤カバー部材で蓋覆されているため、外部からでも、内部の中継基盤を視認することができ、中継基盤の配線状態や不正な改造等を速やかに発見することが可能となる。また、中継基盤が基盤カバー部材で蓋覆されているため、内部の中継基盤に不正な改造を働くことが困難となり、中継基盤に対する不正を低減することが可能となる。また、中継基盤を取り付ける基盤ホルダーには、不正基盤等の取付けを妨げる不正基盤取付防止部が設けられているため、不正基盤等を取り付けるスペースが消滅し、不正基盤等を中継基盤に取り付けることが困難となる。さらに、中継基盤を取り付ける基盤ホルダーには、不正基盤等の取付けを妨げる不正基盤取付防止部が柱状に複数設けられているため、不正基盤等を取り付けるスペースが消滅し、不正基盤等を中継基盤に取り付けることが困難となる。
【０００８】
遊技機には、パチンコ遊技機、パチコン機、アレンジボール遊技機、或いは雀球遊技機などの弾球遊技機が含まれる。
【００１４】
請求項２記載の発明は、遊技の制御を行う主遊技制御装置と、該主遊技制御装置と通信可能な従遊技制御装置との信号線の中継接続を行う中継手段を備え、前記中継手段は、前記主遊技制御装置と従遊技制御装置との信号線を中継接続するための配線接続用端子を片面に実装した中継基盤によって構成し、前記中継基盤は、クリア部材である基盤カバー部材で蓋覆されるとともに、当該中継基盤を取り付ける基盤ホルダーには、当該中継基盤の裏面側への不正基盤等の取り付けを妨げる不正基盤取付防止部を設け、前記基盤ホルダーは、透明材により有底箱形状に形成され、その内底面に前記不正基盤取付防止部を柱状に複数設けた構成とした。
【００１５】
この請求項２記載の発明によれば、配線接続用端子を中継基盤の片面に実装したことにより、主遊技制御装置及び従遊技制御装置より延出する信号線を配線接続用端子に接続するのが容易となる。また、配線接続用端子を中継基盤の片面に実装したことにより、全ての配線接続用端子を視認することが可能となり、基盤の配線構成がわかり易くなる。また、配線接続用端子を中継基盤の片面に集中させたことにより、非実装面と対向する側に部品を実装するためのスペースを形成する必要がなくなる。つまり、中継基盤上に視認が困難な部分をなくすことができ、それにより不正な改造等の発見が容易となる。また、中継基盤がクリア部材である基盤カバー部材で蓋覆されているため、外部からでも、内部の中継基盤を視認することができ、中継基盤の配線状態や不正な改造等を速やかに発見することが可能となる。また、中継基盤が基盤カバー部材で蓋覆されているため、内部の中継基盤に不正な改造を働くことが困難となり、中継基盤に対する不正を低減することが可能となる。また、中継基盤を取り付ける基盤ホルダーには、不正基盤等の取付けを妨げる不正基盤取付防止部が設けられているため、不正基盤等を取り付けるスペースが消滅し、不正基盤等を中継基盤に取り付けることが困難となる。さらに、中継基盤を取り付ける基盤ホルダーには、不正基盤等の取付けを妨げる不正基盤取付防止部が柱状に複数設けられているため、不正基盤等を取り付けるスペースが消滅し、不正基盤等を中継基盤に取り付けることが困難となる。
【００２２】
【発明の実施の形態】
以下、この発明の実施の形態について、図１〜図１４の図面を参照しながら説明する。
【００２３】
［第１の実施の形態］
図１は、この発明の第１の実施の形態の遊技機として例示するパチンコ遊技機を示す正面図である。
【００２４】
この実施の形態のパチンコ遊技機１００は、内部の遊技領域１ａ（後述）内に遊技球を発射して遊技を行うもので、パチンコ遊技機１００の前側上半部には、ガラス板１０１がガラス枠１０２に保持された状態で左端を軸心として片開き形式に開閉自在に取り付けられている。ガラス板１０１の奥側には遊技領域１ａを構成する遊技盤１が着脱可能に設置されている。
【００２５】
遊技盤１のガイドレール２で囲まれた遊技領域１ａには、電気的遊技装置として例示する特図の可変表示装置（図柄表示装置）４、普図始動ゲート６，６、普図の可変表示装置７、風車と呼ばれる回転式方向変換部材１０，…などの他に、電気的遊技装置として例示する特別変動入賞装置５、一般入賞口８，…、電気的遊技装置として例示する普通変動入賞装置を兼ねた特図始動口９、装飾ランプ１１，…、サイドランプ１２，…などが配置されている。遊技領域１ａの最下端部中央にはアウト球を回収するためのアウト穴１３が設けられている。
【００２６】
可変表示装置４は、例えばＴＶユニットなどによって構成され、変動表示遊技などの遊技関連の画像が表示されるようになっている。
【００２７】
また、パチンコ遊技機１００の前側下半部には、発射部に遊技球を供給する上受皿１０５、パチンコ遊技機１００の隣に並設されるカードユニット５００のカード差込み口５０１に挿入されるプリペイドカードなどの有価価値媒体による球貸し操作を行うためのカード操作部１０８、上受皿１０５に収容しきれない遊技球を収容する下受皿１０７、前記遊技領域１ａに向けて遊技球の発射操作を行うための操作ハンドル１０４などが設置されている。
【００２８】
図２は、パチンコ遊技機の背面図である。
【００２９】
パチンコ遊技機１００の本体枠１１０に開閉可能に設置された遊技機本体１００Ａの裏機構盤１００ａの裏側には、予備球を貯留するための貯留タンク２０１、該貯留タンク２０１からの予備球を整列させて球抜きユニット２０３まで流下案内するための導出樋２０２、該導出樋２０２により流下案内される球の球抜きや球排出ユニット２０４への流下案内を行う球抜きユニット２０３、球抜きユニット２０３を介して流下案内された球を上受皿１０５（該上受皿１０５が満杯のときは下受け皿１０７）へ排出させる球排出ユニット２０４、スピーカー２０５、操作ハンドル１０４の操作に基づき球を遊技領域１ａに発射させるハンドルユニット２０６、集められた入賞球を順次検出するセーフユニット２０７などが配設される他、共通制御回路（排出・発射・アンプ電源一体化回路）２１０、球排出用中継基盤２３０、カードユニット用外部接続端子基盤２４０、遊技機枠用外部接続端子基盤４１、ターミナル基盤４２等の各種制御装置及び中継基盤が配設されている。
【００３０】
また、遊技盤１の裏面側には遊技系統の制御を行う役物制御回路２２０が設置され、遊技盤１の裏側に突出した特図の可変表示装置４の背部には役物制御系統の中継手段を備えた役物用中継基盤３１、外部出力手段を備えた遊技盤用外部接続端子基盤３２、不可逆性処理手段として例示するリレースイッチ１７３，…を備えたリレー基盤３３等が配設されている。これら役物制御回路２２０、役物用中継基盤３１、遊技盤用外部接続端子基盤３２、リレー基盤３３等は裏機構盤１００ａの中央開口部３０を介して、裏機構盤１００ａの後方に突出している。
そして、役物制御回路２２０と役物用中継基盤３１は接続線群１７５ａによって、可変表示装置４と役物用中継基盤３１は接続線群４ａによって、役物用中継基盤３１とリレー基盤３３は接続線群１７１ａによって、それぞれ電気的接続されている。また、役物用中継基盤３１と普図始動ゲート６，６は接続線群６ａ，６ａによって、役物制御回路２２０と変動入賞装置５及び普図の可変表示装置７は接続線群５ａによって、役物制御回路２２０と共通制御回路（排出・発射・アンプ・電源一体化回路）２１０は接続線群２２０ａによって、それぞれ電気的接続されている。また、役物制御回路２２０とセーフユニット２０７は接続線群２０７ａと、共通制御回路２１０とハンドルユニット２０６は接続線群２０６ａと、共通制御回路２１０と球排出用中継基盤２３０は接続線群２３０ａと、共通制御回路２１０とカードユニット用外部接続端子基盤２４０は接続線群２４０ａによって、それぞれ電気的接続されている。また、カードユニット用外部接続端子基盤２４０とカードユニット５００は接続線群５００ａによって、球排出用中継基盤２３０と球排出ユニット２０４は接続線群２０４ａによって、それぞれ電気的接続されている。
【００３１】
その他の電気的接続関係は図７や図９にも示されているので、その説明は省略する。
上記接続線群のうち、特に、接続線群５ａ、２２０ａ、５００ａは、外から不正な改造や断線等を視認しうるように透明なチューブホルダー５ｂ、２２０ｂ、５００ｂによって覆われている。
【００３２】
図３はパチンコ遊技機に備わる遊技盤の背面図で、図４はパチンコ遊技機に備わる役物用中継基盤、遊技盤用外部接続端子基盤及びリレー基盤と、可変表示装置との固定構造を示す分解斜視図である。
【００３３】
遊技盤１の裏側には、その中央開口部を避けた状態で入賞球を集合させて前記セーフユニット２０７に導くための上部入賞処理部材２０８ａ及び下部入賞球処理部材２０８ｂが取り付けられている。また、この遊技盤１の中央開口部（図に現れない）には、図３に示すように、特図の可変表示装置４がその後端部を後方に突出させた状態に設置され、該可変表示装置４の後端背面部の左側には役物用中継基盤３１が、右側上段部には遊技盤用外部接続端子基盤３２が、右側下段部にはリレー基盤３３が、それぞれ配設されている。また、遊技盤１の背面部左側には、役物制御回路２２０が設置されている。
【００３４】
そして、図３に示すように、役物用中継基盤３１とリレー基盤３３とが接続線群１７１ａによって、リレー基盤３３と遊技盤用外部接続端子基盤３２とが接続線群１７２ａによって、役物制御回路２２０と役物用中継基盤３１とが接続線群１７５ａによって、それぞれ電気的に接続されている。また、特図の可変表示装置４と役物用中継基盤３１とが接続線群１７６ａによって電気的に接続されている。
【００３５】
役物用中継基盤３１、遊技盤用外部接続端子基盤３２及びリレー基盤３３は、図４に示すように、特図の可変表示装置４の裏面側に基盤ホルダー３５を介して固定されている。
即ち、基盤ホルダー３５は透明材（例えば、樹脂材）により後方が開口した有底箱型形状に形成され、その前面側底部の取付穴１６０ｂ，…から、可変表示装置４の背部に突設された取付支柱１６０ｃ，…に向けてビス１６０ａ，…を通して特図の可変表示装置４の背部に固定されている。
役物用中継基盤３１、遊技盤用外部接続端子基盤３２及びリレー基盤３３は、それぞれ、それら各基盤に設けられた取付穴１６１ｂ，…から基盤ホルダー３５内に突設された取付支柱１６１ｃ，…に向けてビス１６１ａ，…を通して基盤ホルダー３５内に取り付けられている。このように取り付けられた状態において、各基盤３１、３２、３３間と、各基盤３１、３２、３３と基盤ホルダー３５の内周面との間に所定の空気流通スペースが保たれるようになっている。
【００３６】
このように、役物用中継基盤３１、遊技盤用外部接続端子基盤３２及びリレー基盤３３が、基盤ホルダー３５を介して、可変表示装置４の後端背面部に取り付けられ、可変表示装置４と基盤ホルダー３５との間と、基盤ホルダー３５と各基盤３１，３２及び３３との間に、それぞれ所定のスペースが保たれている。従って、可変表示装置４の後端背面部と基盤ホルダー３５との間のスペースと透明な基盤ホルダー３５とを介して、役物用中継基盤３１、遊技盤用外部接続端子基盤３２及びリレー基盤３３の裏面側を覗き見ることにより、それら基盤３１、３２、３３の裏側の異常、例えば、不正な改造などを発見し易くなる。また、役物用中継基盤３１、遊技盤用外部接続端子基盤３２及びリレー基盤３３と基盤ホルダー３５との間のスペース、及び各基盤３１、３２、３３間相互の隙間や、各基盤３１、３２、３３と基盤ホルダー３５の内周面との隙間を介して、基盤３１、３２、３３の熱が放熱されることとなる。
【００３７】
役物用中継基盤３１は、図４に示すように、役物制御回路２２０と電気的接続するためのコネクタ１７５ｂ、及び、リレー基盤３３と電気的接続するためのコネクタ１７１ｃが配設されるとともに、遊技盤１に配設される特図始動口（普通変動入賞装置）９、特図始動口９中の特図始動入賞検出器（図示省略）、特別変動入賞装置５、普図始動ゲート６，６中の普図始動検出器（図示省略）、装飾ランプ１１，…及びサイドランプ１２，…などの各種電気部品５０（図７）と電気的接続するためのコネクタ１８１ｂ，…などが配設され、管理装置４００と役物制御回路２２０との間で送受信される各種データ（大当り、回転数、確率変動など）の中継を行うとともに、役物制御回路２２０と各種電気部品５０との信号の遣り取りの中継を行う。
【００３８】
遊技盤用外部接続端子基盤３２は、リレー基盤３３と電気的接続するためのコネクタ１７２ｂ、管理装置４００と電気的接続するための外部接続端子１７４，…などが配設され、管理装置４００と役物制御回路２２０との間で送受信される各種データ（大当り、回転数、確率変動など）の中継を行う。
【００３９】
リレー基盤３３は、遊技盤用外部接続端子基盤３２と電気的接続するためのコネクタ１７２ｃ、役物用中継基盤３１と電気的接続するためのコネクタ１７１ｂ、リレースイッチ１７３，１７３，１７３等が配設され、管理装置４００（図７）と役物制御回路２２０との間で送受信される各種データ（大当り、回転数、確率変動など）の中継を行うとともに、リレースイッチ１７３，１７３，１７３により信号の流れを一方向に規制し、ノイズや不正行為などにより生じた信号が反対方向に通過するのを阻止するようになっている。
【００４０】
このように、役物用中継基盤３１、遊技盤用外部接続端子基盤３２及びリレー基盤３３に配設する電子部品や接続端子は、機能に応じた基盤に配置される。そして、例えば、比較的寿命の短いリレースイッチ１７３，１７３，１７３などの電子部品については、リレー基盤３３に集中して配置され、故障のときなどにはリレー基盤３３ごと交換される。
【００４１】
図５はパチンコ遊技機の裏機構盤に備わる遊技機枠用外部接続端子基盤およびターミナル基盤を示す正面図で、図６は遊技機枠用外部接続端子基盤およびターミナル基盤の本体枠への取付構造を示す分解斜視図である。
【００４２】
遊技機枠用外部接続端子基盤４１及びターミナル基盤４２は、図５に示すように、裏機構盤１００ａの裏側に一体に設けられた基盤ホルダー４５内に並設されている。
【００４３】
基盤ホルダー４５は、図６に示すように、裏機構盤１００ａの裏側右上端部に囲板４５ａに囲まれた状態で設けられ、内部には、ネジ止用の取付支柱２６１ａ，２６１ａ、先端に凸部を有する位置決め支柱２６２ａ，２６２ａ、及び先端に凹穴を有する位置決め支柱２６３ａ，…が設けられ、支柱２６３ａ，…側の囲板４５ａには、支柱２６１ａ、２６２ａ、２６３ａと協同して基盤４１、４２を挟んで係止する止板２６４，２６４が設けられている。
【００４４】
そして、遊技機枠用外部接続端子基盤４１及びターミナル基盤４２は、位置決め穴２６２ｂ，…中に位置決め支柱２６２ａ，…の位置決め凸部を嵌入させるとともに、その一端側をそれら位置決め支柱２６３ａと止板２６４，…との間に位置させた状態で、ビス２６１ｃ，２６１ｃを取付穴２６１ｂ，２６１ｂから取付支柱２６１ａ，２６１ａに向けて通すことにより、基盤ホルダー４５内に取り付けられている。これら遊技機枠用外部接続端子基盤４１とターミナル基盤４２とは接続線群２７２ａにより相互に電気的に接続されている。
【００４５】
遊技機枠用外部接続端子基盤４１は、図６に示すように、管理装置４００（図７）と電気的接続するための外部接続端子２７４，…、ターミナル基盤４２と電気的接続するためのコネクタ２７２ｂ、補給スイッチ２０１ａと電気的接続するためのコネクタ２７５ｂ等が配設され、管理装置４００と共通制御回路２１０との間で送受信される各種信号（賞球信号、球貸信号、打止信号）の中継を行うとともに、補給スイッチ２０１ａから島設備（球切りＳＯＬ）４１０（後述）へ送信される補給信号の中継を行う。
【００４６】
ターミナル基盤４２は、図６に示すように、リレースイッチ２７３ａ，２７３ｂ，２７３ｃ、電源スイッチ２７６、ヒューズ２７７、遊技機枠用外部接続端子基盤４１と電気的接続するためのコネクタ２７２ｃ、電源コード２８３ａの電源入力端子２８３ｂ、共通制御回路２１０と電気的接続するためのコネクタ２８１ｂ，２８１ｂ等が配設され、管理装置４００と共通制御回路２１０との間で送受信される各種信号（賞球信号、球貸信号、打止信号）の中継を行うとともに、島設備から電力の供給を受けてパチンコ遊技機１００に供給するようになっている。
【００４７】
このように、遊技機枠用外部接続端子基盤４１及びターミナル基盤４２には電子部品や接続端子が機能に応じて配設されている。例えば、外部接続端子２７４，２７４，…などの寿命の長い電気部品は、遊技機枠用外部接続端子基盤４１に集中して配設され、遊技盤１が交換されても、再利用できるようになっている。一方、ヒューズ２７７やリレースイッチ２７３ａ，２７３ｂ，２７３ｃなどの比較的寿命の短い電気部品は、ターミナル基盤４２に集中して配設され、故障のときなどには、ターミナル基盤４２だけ交換すれば済む。
また、遊技機枠用外部接続端子基盤４１とターミナル基盤４２とに分けたことにより、遊技機枠用外部接続端子基盤４１或いはターミナル基盤４２のいずれに故障が生じたかを容易にチェックできるようになる。
【００４８】
図７はパチンコ遊技機に配設された各種制御回路および各種ユニットの配線関係を示すブロック図、図８はパチンコ遊技機に備わる役物用中継基盤、リレー基盤及び遊技盤用外部接続端子基盤を経由する信号の流れを示すブロック図、図９はパチンコ遊技機に備わるターミナル基盤及び遊技機枠用外部接続端子基盤を経由する信号の流れを示すブロック図、図１０はターミナル基盤に設けられたリレースイッチを流れる信号の信号方向を表したブロック図である。
【００４９】
パチンコ遊技機１００の遊技盤１側には、図７に示すように、役物制御回路２２０、役物用中継基盤３１、遊技盤用外部接続端子基盤３２、リレー基盤３３、可変表示装置（図柄表示装置）４の他、特別変動入賞装置５，普通図柄（普図）の可変表示器７，特図始動口（普通変動入賞装置）９，特図始動口９中の特図始動検出器（図示省略）、普図始動ゲート６，６中の普図始動検出器（図示省略）、装飾ランプ１１及びサイドランプ１２，…などの各種電気部品５０等が配設されている。一方、遊技機本体１００Ａ側には、共通制御回路（排出・発射・アンプ電源一体化回路）２１０、半端センサ小基盤２０２ａ、ハンドルユニット２０６、カードユニット用外部接続端子基盤（Ｉ／Ｆボード）２４０、カード操作基盤２４１、球排出用中継基盤２３０、セーフユニット２０７、球排出ユニット２０４、ガラス枠スイッチ１０２ａ、オーバーフロースイッチ２０９、ターミナル基盤４２、遊技機枠用外部接続端子基盤４１、補給スイッチ２０１ａ等が配設されている。
【００５０】
パチンコ遊技機１００は、遊技機枠用外部接続端子基盤４１や遊技盤用外部接続端子基盤３２を介して管理装置４００と電気的に接続され、カードユニット用外部接続端子基盤２４０を介してカードユニット５００と電気的に接続されている。
【００５１】
役物制御回路２２０は、内部に読出し専用メモリたるＲＯＭ２１、書込みと読出しが可能なメモリたるＲＡＭ２２、ＣＰＵ（中央処理装置）２３を備えている。
この役物制御回路２２０は、特図始動口９の始動入賞検出器からの検出信号などに基づき、役物用中継基盤３１経由で、特図の可変表示装置４に変動指令信号を送って可変表示遊技（図柄の回転表示）を行わせたり、或いは、特図始動入賞検出器からの検出信号や特図の可変表示装置（図柄表示装置）４の可変表示遊技結果などに基づいて特別変動入賞装置５などの各種電気部品５０に制御信号を送って所要の作動を行わせる。
【００５２】
可変表示装置４による可変表示の結果、ＲＯＭ２１中に書き込まれている所定の停止態様（例えば、「１，１，１」、「２，２，２」、「３，３，３」、「５，５，５」、「７，７，７」などのぞろめ）で停止したときには、大当りと呼ばれる特別遊技状態を発生させ、役物制御回路２２０から役物用中継基盤３１経由で動作指令信号が、関係する特別変動入賞装置５などの電気部品５０に送られて予め定められた条件の下で周期的な開放動作が行われる。
【００５３】
例えば、特別変動入賞装置５の開閉扉が所定時間開くことを１サイクル（その間に所定個数の球が入賞したときにはその時点までを１サイクル）とし、各サイクル遊技中その内部の所定箇所に球が入賞することを条件に所定の最大継続回数までそのサイクルが継続される遊技が行われる。この大当りがその所定の停止表示態様のうちの特別の表示態様（例えば、「３，３，３」、「５，５，５」などの予め定められた特別のぞろめ）で発生した場合には、役物制御回路２２０のＲＯＭ２１中の制御プログラムに沿って次回の大当たりの発生確率が高められる状態（確率変動状態）となる。
【００５４】
また、役物制御回路２２０に、セーフユニット２０７からのセーフ球の検出信号が入力された場合には、この入力信号に基づいて、共通制御回路２１０から球排出用中継基盤２３０を介して球排出ユニット２０４に排出指令信号が送られて賞球の排出が行われる。
【００５５】
役物制御回路２２０からは、図８に示すように、管理上必要な各種データ（大当り信号、図柄の回転表示信号、確率変動状態信号）が、役物用中継基盤３１、リレー基盤３３及び遊技盤用外部接続端子基盤３２を経由して、管理装置４００に送られて、大当りの発生回数、図柄の回転数、確率変動の発生回数などが集計される。
【００５６】
管理装置４００の集計に基づいて、打止めが必要なときには、図９に示すように、管理装置４００から、遊技機枠用外部接続端子基盤４１、ターミナル基盤４２及び共通制御回路２１０経由でハンドルユニット２０６に停止指令信号が送られて、打球の発射動作の停止が行われる。
また、共通制御回路２１０からは、ターミナル基盤４２及び遊技機枠用外部接続端子基盤４１経由で、管理装置４００に賞球信号や球貸信号などの所要の信号データが送られて集計される。
【００５７】
共通制御回路２１０に、ガラス枠１０２が開いていることを知らせる検出信号及びオーバーフロー状態を知らせるオーバーフロースイッチ２０９からの検出信号が球排出用中継基盤２３０経由で送られた場合は、該共通制御回路２１０からハンドルユニット２０６へ停止指令信号が送られて打球の発射の停止が行われるとともに、球排出用中継基盤２３０経由で球排出ユニット２０４に停止指令信号が送られて賞球の排出の停止が行われる。
【００５８】
共通制御回路２１０に、カードユニット５００からのカード情報信号と、カード操作基盤２４１からの球貸し指令信号がカードユニット用外部接続端子基盤２４０経由で送られた場合は、共通制御回路２１０から球排出用中継基盤２３０経由で球排出ユニット２０４に球排出指令信号が送られて球の排出が行われる。
【００５９】
共通制御回路２１０に、半端センサ小基盤２０２ａから、排出用の予備球が半端状態になっていることを知らせる半端状態検出信号が送られた場合は、共通制御回路２１０から球排出用中継基盤２３０経由で球排出ユニット２０４に排出停止指令信号が送られて球の排出が停止される。
【００６０】
共通制御回路２１０は電源回路を備え、ターミナル基盤４２を介して島設備から供給される電力をパチンコ遊技機１００に配設されている各種電気部品５０及び電気的制御装置（例えば、役物制御回路２２０など）へ供給するようになっている。
【００６１】
操作ハンドル１０４の回動操作に伴う発射信号は、図９に示すように、ハンドルユニット２０６から共通制御回路（排出・発射・アンプ電源一体化回路）２１０に送信される。この発射信号に基づいて、共通制御回路２１０により、ハンドルユニット２０６が作動されて、遊技球の遊技領域１ａへの発射が行われる。
【００６２】
カードユニット５００のカード差込み口５０１にプリペイドカード等の有価価値媒体を挿入した状態で、カード操作部１０８において球貸操作をすると、図９に示すように、カードユニット５００からの球貸信号が球排出用中継基盤２３０を介して球排出ユニット２０４に送られて貸球の上受皿１０５への排出が行われるとともに、その球貸信号が共通制御回路２１０、ターミナル基盤４２及び遊技機枠用外部接続端子基盤４１を介して管理装置４００に送られて集計される。
【００６３】
遊技盤１の各入賞部（例えば、一般入賞口８、特図始動口９、変動入賞装置５等）に入賞した球は、順次、セーフユニット２０７に検出（入賞部に検出器がある場合には該検出器にも検出）され、その検出による入賞信号が役物制御回路２２０を介して共通制御回路２１０に送られ、該共通制御回路２１０からの賞球排出指令信号が球排出用中継基盤２３０を介して球排出ユニット２０４に送られて賞球の排出が行われる。
【００６４】
図１０に示すように、貯留タンク２０１における予備球が所定量以下に減少した場合は、補給スイッチ２０１ａの検出に基づく補給信号が遊技機枠用外部接続端子基盤４１経由で、島設備の球切りソレノイド（ＳＯＬ）４１０に送信されて、貯留タンク２０１への予備球の補給が行われる。
【００６５】
ターミナル基盤４２は、信号の流れを一方向に規制する不可逆性処理手段としてのリレースイッチ２７３ａ，２７３ｂ，２７３ｃを備えている。そして、共通制御回路２１０からの賞球信号と球貸信号をリレースイッチ２７３ａ、２７３ｂ及び遊技機枠用外部出力端子基盤２７４を介して、管理装置４００に送信するが、その逆方向には信号（ノイズや、不正行為により生じた信号）が送信されないようになっている。
一方、管理装置４００からの打止信号は、遊技機枠用外部出力端子基盤２７４及びリレースイッチ２７３ｃを介して共通制御回路２１０に送信されるが、その逆方向には信号（例えば、ノイズや、不正行為により生じた信号）が送信されないようになっている。
【００６６】
このように、ノイズや、不正行為により生じた信号が、前記信号（賞球信号、球貸信号、打止信号）方向とは反対方向に流入しないよう機能している。従って、パチンコ遊技機１００や管理装置４００に配設されている各種電気部品５０や電気的制御装置（例えば、役物制御回路２２０など）などは、ノイズの進入などが原因で、故障を生じることが少なくなる。
【００６７】
この第１の実施の形態のパチンコ遊技機１００によれば、役物用制御回路２２０と各種電気部品５０及び管理装置４００との間の電気的信号等の中継を行う基盤が、遊技盤用外部接続端子基盤３２と役物用中継基盤３１とリレー基盤３３とに、それぞれ別個の基盤として構成されているため、遊技盤１の交換時や寿命切れ時等の際に、必要に応じて、遊技盤用外部接続端子基盤３２、役物用中継基盤３１及びリレー基盤３３をそれぞれ独立に交換することが可能となる。
例えば、遊技盤用外部接続端子基盤３２、役物用中継基盤３１或いはリレー基盤３３の何れかに故障が発生した場合や、遊技盤１の交換によって機能に変更が生じたときなどに、必要な基盤だけを交換し、残った基盤を継続して使用することが可能となり、基盤の交換に伴うコストを低減することが可能となる。また、遊技盤用外部接続端子基盤３２、役物用中継基盤３１或いはリレー基盤３３の何れかに故障が発生した場合に、故障箇所を限定するための検査も容易となり、故障箇所の発見及び交換を迅速に行うことが可能となる。
【００６８】
また、比較的寿命の短いリレースイッチ１７３，…が遊技盤用外部接続端子基盤３２や役物用中継基盤３１と別個のリレー基盤３３に集中して配設されているので、リレースイッチ１７３，…の何れかが故障した場合には、遊技盤用外部接続端子基盤３２や役物用中継基盤３１はそのままで、リレー基盤３３のみを交換するだけで済む。
【００６９】
また、遊技機枠用外部接続端子基盤４１とターミナル基盤４２とに分けたことにより、遊技機枠用外部接続端子基盤４１或いはターミナル基盤４２のいずれに故障が生じたかを容易にチェックでき、交換や修理を迅速に行うことができる。また、比較的寿命の短いヒューズ２７７やリレースイッチ２７３ａ，２７３ｂ，２７３ｃなどの電気部品はターミナル基盤４２に集中して配設されているので、それら電子部品に故障が生じたときにはターミナル基盤４２のみを交換するだけで済む。一方、外部接続端子２７４，２７４，…などの寿命の長い電気部品が集中的に配設された遊技機枠用外部接続端子基盤４１は故障し難いため交換しなくて済むとともに、遊技盤１を交換しても共通に使える可能性がある。
【００７０】
［第２の実施の形態］
第１の実施の形態では、役物中継基盤３１を基盤ホルダー３５に取り付けた状態において、透明な部材である基盤ホルダー３５の内部を覗き見ることにより、役物中継基盤３１の裏面側の不正な改造等を発見できるようになっていたが、第２の実施の形態では、中継基盤（役物中継基盤）３１Ａと基盤ホルダー３５Ａとの間に不正基盤取付防止部３１０，…を介在させることにより、中継基盤３１Ａの裏面側の不正な基盤等の取付を防止している。
また、第１の実施の形態では、共通制御回路２１０が役物制御回路２２０を介して役物中継基盤３１と接続されていたが、第２の実施の形態では、役物制御回路２２０を構成する役物制御装置２２１、表示制御装置２２２、及び音制御装置２２３とともに、共通制御回路２１０を構成する排出制御装置２１１及び発射制御装置２１２が直接、中継基盤３１Ａに接続されている。
この第２の実施の形態特有の部分以外は、上記第１の実施の形態におけると同様である。
【００７１】
この第２の実施の形態において、前述の第１の実施の形態と同一部分には同一符号を付し、その説明を省略する。
【００７２】
図１１は、第２の実施の形態のパチンコ遊技機に備わる中継基盤の、基盤ホルダーへの取付構造を示す斜視図、図１２は、中継基盤が取り付けられた基盤ホルダーの断面図、図１３は、中継基盤を介して各制御装置と各種電気部品との間で送受信される信号の流れを示すブロック図である。
【００７３】
中継基盤３１Ａは、図１１に示すように、遊技盤用外部接続端子基盤３２及びリレー基盤３３とともに、基盤ホルダー３５Ａの内部に固定され、透明な基盤カバー部材３４０に蓋覆された状態で、可変表示装置４の後端部に取り付けられている。
【００７４】
中継基盤３１Ａの基盤カバー部材３４０側の片面（実装面）には、役物制御装置２２１（役物制御回路２２０）、表示制御装置２２２（役物制御回路２２０）、音制御装置２２３（役物制御回路２２０）、排出制御装置２１１（共通制御回路２１０）、及び発射制御装置２１２（共通制御回路２１０）と電気的に接続するためのコネクタ１７５Ｂが配設されるとともに、遊技盤１に配設される特図始動口（普通変動入賞装置）９、特図始動口９中の特図始動入賞検出器（図示省略）、特別変動入賞装置５、普図始動ゲート６，６中の普図始動検出器（図示省略）、装飾ランプ１１，…及びサイドランプ１２，…などの各種電気部品５０と電気的に接続するためのコネクタ１８１ｂ，…、リレー基盤３３と電気的に接続するためのコネクタ１７１ｃ等が配設されている。
【００７５】
また、中継基盤３１Ａは、図１３に示すように、電気的制御装置として以下に例示する役物制御装置２２１、表示制御装置２２２、音制御装置２２３、排出制御装置２１１及び発射制御装置２１２と、各種電気部品５０との間で送受信される制御信号の中継を行うようになっている。
【００７６】
基盤ホルダー３５Ａは、図１１及び図１２に示すように、透明材（例えば、樹脂材）により有底箱型形状に形成されていて、その内底面には、中継基盤３１Ａ及び基盤３２、３３の裏面側（非実装面）への不正基盤等の取付けを妨げる柱状の不正基盤取付防止部３１０，…が設けられている。
この不正基盤取付防止部３１０，…は、基盤の裏面側への不正基盤等の取付けを妨げることができれば、どのような形状でもよく、設置数量も適宜変更可能である。
【００７７】
基盤カバー部材３４０は、図１１に示すように、弾性変形可能な透明材（例えば、樹脂材）により有底箱型形状に形成され、その側面（図中、上側及び左側の側面）には、遊技盤１に配設される各種電気的部品５０より延出する信号線等を通すための配線導出口３４４，３４４や、制御装置２１１、２１２、２２１、２２２、２２３より延出する信号線を通すための配線導出口３４３が形成されている。
【００７８】
そして、中継基盤３１Ａ、遊技盤用外部接続端子基盤３２及びリレー基盤３３は、図１１に示すように、それぞれ、その実装面の反対側の面を基盤ホルダー３５Ａ内の不正基盤取付防止部３１０，…に当接させた状態で、それら各基盤に設けられた取付穴１６１ｂ，…から基盤ホルダー３５Ａ内に突設された取付支柱１６１ｃ，…に向けてビス１６１ａ，…を通して基盤ホルダー３５Ａ内に取り付けられている。
この基盤ホルダー３５Ａには、その一端側の軸受け３３２，３３２に基盤カバー部材３４０の支軸３４２，３４２が嵌入した状態で、基盤カバー部材３４０が開閉可能に取り付けられている。この基盤カバー部材３４０の自由端側には、ストッパー３４１が設けられ、常時は、このストッパー３４１が基盤ホルダー３５Ａの係合穴３３１に係止され、基盤カバー部材３４０が基盤ホルダー３５Ａの開口部を蓋覆した状態に固定されている。
【００７９】
このように、中継基盤３１Ａ及び基盤３２、３３が基盤ホルダー３５Ａ内に収容された状態において、中継基盤３１Ａ及び基盤３２、３３の裏面側（非実装面）と基盤ホルダー３５Ａ内の底面との間には、不正基盤取付防止部３１０，…が介在し、該不正基盤取付防止部３１０，…によって、中継基盤３１Ａ及び基盤３２、３３の裏面側への電子部品等の取付が妨げられるようになっている。
また、基盤ホルダー３５Ａが基盤カバー部材３４０により蓋覆された状態において、中継基盤３１Ａ及び基盤３２、３３の実装面が外部より透明な基盤カバー部材３４０を介して視認しうるようになっている。
【００８０】
この第２の実施の形態のパチンコ遊技機１００によれば、コネクタ１７５Ｂ，１８１ｂ，…を中継基盤３１Ａの片面に実装したことにより、遊技盤１に配設される各種電気的部品５０より延出する信号線や、制御装置２１１、２１２、２２１、２２２、２２３より延出する信号線をコネクタ１７５Ｂに接続するのが容易となる。
また、コネクタ１７５Ｂ，１８１ｂ，…を中継基盤３１Ａの片面に実装したことにより、全てのコネクタ１７５Ｂ，１８１ｂ，…を視認することが可能となり、基盤の配線構成がわかり易くなる。
【００８１】
また、中継基盤３１Ａがクリア部材である基盤カバー部材３４０で蓋覆されているため、外部からでも、内部の中継基盤３１Ａを視認することができ、中継基盤３１Ａの配線状態や不正な改造等を速やかに発見することが可能となる。
また、中継基盤３１Ａが基盤カバー部材３４０で蓋覆されているため、内部の中継基盤３１Ａに不正な改造を働くことが困難となり、中継基盤３１Ａに対する不正を低減することが可能となる。
【００８２】
また、中継基盤３１Ａを取り付ける基盤ホルダー３５Ａには、不正な基盤の取付けを妨げる不正基盤取付防止部３１０，…が設けられているため、不正な基盤などを取り付けるスペースが消滅し、不正な基盤等を中継基盤３１Ａに取り付けることが困難となる。
【００８３】
［第３の実施の形態］
第２の実施の形態では、中継基盤３１Ａは、各制御装置（役物制御装置２２１、表示制御装置２２２、音制御装置２２３、排出制御装置２１１及び発射制御装置２１２）と、各種電気部品５０との間で送受信される制御信号の中継を行うようになっていたが、第３の実施の形態では、各制御装置間で送受信される制御信号の中継を行うことも可能となっている。
【００８４】
この第３の実施の形態において、前述の第２の実施の形態と同一部分には同一符号を付し、その説明を省略する。
図１４は、中継基盤を介して各制御装置間で送受信される信号の流れを示すブロック図である。
【００８５】
中継基盤３１Ａは、図１４に示すように、主遊技制御装置として例示する役物制御装置２２１、従遊技制御装置として以下に例示する表示制御装置２２２、音制御装置２２３、排出制御装置２１１及び発射制御装置２１２等と電気的に接続されている。
そして、中継基盤３１Ａは、役物制御装置２２１と、表示制御装置２２２、音制御装置２２３、排出制御装置２１１及び発射制御装置２１２との間で送受信される各種制御信号の中継が可能となっている。
【００８６】
なお、本発明は、この実施の形態のパチンコ遊技機１００に限られるものではなく、他のパチンコ遊技機、パチコン機、アレンジボール遊技機及び雀球遊技機などの弾球遊技機についても適用可能である。
また、以上の実施の形態例では、中継基盤（中継手段）として、中継基盤３１Ａ（役物中継基盤３１）を例示したが、これに限られるものではなく、各制御装置間の中継を行う、例えば、球排出用中継基盤２３０などについても適用可能である。
その他、各基盤の取付け位置及び取付け方法など、具体的に示した細部構成、方法等は、発明の主旨を逸脱しない範囲で変更可能である。
【００８７】
【発明の効果】
請求項１記載の発明によれば、配線接続用端子を中継基盤の片面に実装したことにより、電気的制御装置及び各種電気的部品より延出する信号線を配線接続用端子に接続するのが容易となる。また、配線接続用端子を中継基盤の片面に実装したことにより、全ての配線接続用端子を視認することが可能となり、基盤の配線構成がわかり易くなる。また、配線接続用端子を中継基盤の片面に集中させたことにより、非実装面と対向する側に部品を実装するためのスペースを形成する必要がなくなる。つまり、中継基盤上に視認が困難な部分をなくすことができ、それにより不正な改造等の発見が容易となる。また、中継基盤がクリア部材である基盤カバー部材で蓋覆されているため、外部からでも、内部の中継基盤を視認することができ、中継基盤の配線状態や不正な改造等を速やかに発見することが可能となる。また、中継基盤が基盤カバー部材で蓋覆されているため、内部の中継基盤に不正な改造を働くことが困難となり、中継基盤に対する不正を低減することが可能となる。また、中継基盤を取り付ける基盤ホルダーには、不正基盤等の取付けを妨げる不正基盤取付防止部が設けられているため、不正基盤等を取り付けるスペースが消滅し、不正基盤等を中継基盤に取り付けることが困難となる。さらに、中継基盤を取り付ける基盤ホルダーには、不正基盤等の取付けを妨げる不正基盤取付防止部が柱状に複数設けられているため、不正基盤等を取り付けるスペースが消滅し、不正基盤等を中継基盤に取り付けることが困難となる。
【００９０】
請求項２記載の発明によれば、配線接続用端子を中継基盤の片面に実装したことにより、主遊技制御装置及び従遊技制御装置より延出する信号線を配線接続用端子に接続するのが容易となる。また、配線接続用端子を中継基盤の片面に実装したことにより、全ての配線接続用端子を視認することが可能となり、基盤の配線構成がわかり易くなる。また、配線接続用端子を中継基盤の片面に集中させたことにより、非実装面と対向する側に部品を実装するためのスペースを形成する必要がなくなる。つまり、中継基盤上に視認が困難な部分をなくすことができ、それにより不正な改造等の発見が容易となる。また、中継基盤がクリア部材である基盤カバー部材で蓋覆されているため、外部からでも、内部の中継基盤を視認することができ、中継基盤の配線状態や不正な改造等を速やかに発見することが可能となる。また、中継基盤が基盤カバー部材で蓋覆されているため、内部の中継基盤に不正な改造を働くことが困難となり、中継基盤に対する不正を低減することが可能となる。また、中継基盤を取り付ける基盤ホルダーには、不正基盤等の取付けを妨げる不正基盤取付防止部が設けられているため、不正基盤等を取り付けるスペースが消滅し、不正基盤等を中継基盤に取り付けることが困難となる。さらに、中継基盤を取り付ける基盤ホルダーには、不正基盤等の取付けを妨げる不正基盤取付防止部が柱状に複数設けられているため、不正基盤等を取り付けるスペースが消滅し、不正基盤等を中継基盤に取り付けることが困難となる。
【図面の簡単な説明】
【図１】本発明に係る遊技機として例示するパチンコ遊技機を示す正面図である。
【図２】図１のパチンコ遊技機の背面図である。
【図３】パチンコ遊技機に備わる遊技盤を示す背面図である。
【図４】パチンコ遊技機に備わる役物用中継基盤、遊技盤用外部接続端子基盤及びリレー基盤と、可変表示装置との固定構造を示す分解斜視図である。
【図５】パチンコ遊技機の裏機構盤に備わる遊技機枠用外部接続端子基盤およびターミナル基盤を示す正面図である。
【図６】遊技機枠用外部接続端子基盤およびターミナル基盤の本体枠への取付構造を示す分解斜視図である。
【図７】パチンコ遊技機に配設された各種制御回路および各種ユニットの配線関係を示すブロック図である。
【図８】パチンコ遊技機に備わる役物用中継基盤、リレー基盤及び遊技盤用外部接続端子基盤を経由する信号の流れを示すブロック図である。
【図９】パチンコ遊技機に備わるターミナル基盤及び遊技機枠用外部接続端子基盤を経由する信号の流れを示すブロック図である。
【図１０】ターミナル基盤に設けられたリレースイッチを流れる信号の信号方向を表したブロック図である。
【図１１】第２の実施の形態のパチンコ遊技機の備わる中継基盤の基盤ホルダーへの取付構造を示す斜視図である。
【図１２】中継基盤が取り付けられた基盤ホルダーの断面図である。
【図１３】図１１の中継基盤を介して各制御装置と各種電気部品との間で送受信される信号の流れを示すブロック図である。
【図１４】図１１の中継基盤を介して各制御装置間で送受信される信号の流れを示すブロック図である。
【符号の説明】
１        遊技盤
４        可変表示装置
３１      役物用中継基盤（中継手段）
３２      遊技盤用外部接続端子基盤（外部出力手段）
３３      リレー基盤
３５      基盤ホルダー
４１      遊技機枠用外部接続端子基盤
４２      ターミナル基盤
４５      基盤ホルダー
１００    パチンコ遊技機（遊技機）
１１０    本体枠
１７３    リレースイッチ（不可逆性処理手段）
１７４    外部接続端子
２０１ａ  補給スイッチ
２０６    ハンドルユニット
２０７    セーフユニット
２１０    共通制御回路（排出・発射・アンプ電源一体化回路）
２２０    役物制御回路（電気的制御装置）
２７３    リレースイッチ
２７４    外部接続端子
４００    管理装置
５００    カードユニット
３１Ａ    中継基盤
３５Ａ    基盤ホルダー
３１０    不正基盤取付防止部
３４０    基盤カバー部材
【図１】
0003869093.tif 000002
【図２】
0003869093.tif 000003
【図３】
0003869093.tif 000004
【図４】
0003869093.tif 000005
【図５】
0003869093.tif 000006
【図６】
0003869093.tif 000007
【図７】
0003869093.tif 000008
【図８】
0003869093.tif 000009
【図９】
0003869093.tif 000010
【図１０】
0003869093.tif 000011
【図１１】
0003869093.tif 000012
【図１２】
0003869093.tif 000013
【図１３】
0003869093.tif 000014
【図１４】
0003869093.tif 000015